(57)【要約】【課題】従来よりも簡易に、早くミックスマイナス機能を設定することができるミキサ、ミキサの制御方法、およびプログラムを提供する。【解決手段】ミキサは、表示部と、受付部と、制御部と、を備えている。表示部は、複数のチャンネルおよびバスを表示する。受付部は、利用者の操作を受け付ける。制御部は、前記受付部を介して特定の操作を受け付け、かつチャンネルの指定を受け付けた場合に、指定されたチャンネルを特定のバスに対応付け、かつ対応付けたチャンネルの信号以外の信号を前記特定のバスから出力させる設定を行なう。【選択図】図８
2019110362.tif 000002
【特許請求の範囲】
【請求項１】
複数のチャンネルおよびバスの対応関係を示す画面を表示する表示処理部と、
利用者の操作を受け付ける受付部と、
前記受付部を介して特定の操作を受け付け、かつチャンネルの指定を受け付けた場合に、指定されたチャンネルを特定のバスに対応付け、かつ対応付けたチャンネルの信号以外の信号を前記特定のバスから出力させる設定を行なう、制御部と、
を備えたミキサ。
【請求項２】
前記制御部は、前記特定のバスに対応付けられるチャンネルが無い場合と、前記特定のバスに対応付けられるチャンネルが有る場合と、で処理を変更する、
請求項１に記載のミキサ。
【請求項３】
前記制御部は、前記チャンネルの指定を受け付けるときに前記表示部に警告表示を行なう、
請求項１または請求項２に記載のミキサ。
【請求項４】
前記制御部は、前記特定のバスに複数のチャンネルを対応付ける、
請求項１乃至請求項３のいずれかに記載のミキサ。
【請求項５】
前記受付部は、チャンネルの除外を受け付け、
前記制御部は、前記チャンネルの除外を受け付けるときに前記特定のバスに対応付けられるチャンネルが無くなる場合に、前記表示部に警告表示を行なう、
請求項１乃至請求項４のいずれかに記載のミキサ。
【請求項６】
前記特定のバスは、他のバスと関連付けされていて、
前記制御部は、前記チャンネルの指定を受け付けた場合に、該指定されたチャンネルを、対応付ける特定のバスに関連付けされている前記他のバスとも対応付ける、
請求項１乃至請求項５のいずれかに記載のミキサ。
【請求項７】
複数のチャンネルおよびバスの対応関係を示す画面を表示し、
利用者から特定の操作を受け付け、かつチャンネルの指定を受け付けた場合に、指定されたチャンネルを特定のバスに対応付け、かつ対応付けたチャンネルの信号以外の信号を前記特定のバスから出力させる設定を行なう、
ミキサの制御方法。
【請求項８】
複数のチャンネルおよびバスの対応関係を示す画面を表示する表示処理と、
利用者の操作を受け付ける受付処理と、
前記受付処理で利用者から特定の操作を受け付け、かつチャンネルの指定を受け付けた場合に、指定されたチャンネルを特定のバスに対応付け、かつ対応付けたチャンネルの信号以外の信号を前記特定のバスから出力させる設定を行なう処理と、
をミキサに実行させるプログラム。
【発明の詳細な説明】
【技術分野】
【０００１】
この発明は、ミキサ、該ミキサの制御方法、およびプログラムに関する。
【背景技術】
【０００２】
例えば特許文献１には、複数の入力チャンネルのうち任意の入力チャンネルの信号が、ミキシングバスに供給されないようにする設定を行う、「ミックスマイナス」という機能が開示されている。ミックスマイナス機能は、例えば、中継先のアナウンサーがミキシングバスの音声（例えば放送用の音声）をモニタしながら発話する場合に、自分の声が遅れて聞こえることを防止するために用いられる。
【０００３】
ミックスマイナス機能の設定は、例えば以下の様にして行なわれる。まず、ユーザは、バスセットアップ画面を起動させる。ユーザは、セットアップ画面において任意のバスをミックスマイナスバスに指定する。さらに、ユーザは、マイナス対象のチャンネルを指定するための画面を起動させる。その後、ユーザは、マイナス対象のチャンネルを指定する。
【先行技術文献】
【特許文献】
【０００４】
【特許文献１】特開２００４−７２２９５号公報
【発明の概要】
【発明が解決しようとする課題】
【０００５】
しかし、上述の様な設定は、ユーザが予めバスセットアップ画面を起動させて、対象のバスを指定し、その後さらにマイナス対象のチャンネルを指定するための画面を起動させて、チャンネルの指定を行なう必要があり、煩わしい。
【０００６】
そこで、この発明は、従来よりも簡易に、素早くミックスマイナス機能を設定することができるミキサ、ミキサの制御方法、およびプログラムを提供することを目的とする。
【課題を解決するための手段】
【０００７】
ミキサは、表示部と、受付部と、制御部と、を備えている。表示部は、複数のチャンネルおよびバスを表示する。受付部は、利用者の操作を受け付ける。制御部は、前記受付部を介して特定の操作を受け付け、かつチャンネルの指定を受け付けた場合に、指定されたチャンネルを特定のバスに対応付け、かつ対応付けたチャンネルの信号以外の信号を前記特定のバスから出力させる設定を行なう。
【発明の効果】
【０００８】
本発明によれば、従来よりも簡易に、素早くミックスマイナス機能を設定することができる。
【図面の簡単な説明】
【０００９】
【図１】ミキサの構成を示すブロック図である。
【図２】信号処理部１４、オーディオＩ／Ｏ１３、およびＣＰＵ１８で行われる信号処理の等価ブロック図である。
【図３】ミキサ１の操作パネルの主要構成を示す図である。
【図４】チャンネルオーバービュー画面の一例を示す図である。
【図５】バスの設定画面の一例を示す図である。
【図６】図６（Ａ）および図６（Ｂ）は、ＭＩＸ  ＭＩＮＵＳタイプのバスが設定された場合のチャンネルオーバービュー画面を示す図である。
【図７】ＣＰＵ１８の動作を示すフローチャートである。
【図８】図８（Ａ）および図（Ｂ）は、オーナー選択画面の一例を示す図である。
【図９】図９（Ａ）および図９（Ｂ）は、オーナーチャンネルが指定された後のチャンネルオーバービュー画面を示す図である。
【図１０】チャンネルオーバービュー画面の一例を示す図である。
【図１１】複数チャンネルがオーナーチャンネルに指定された場合のチャンネルオーバービュー画面を示す図である。
【図１２】複数バスがＭＩＸ  ＭＩＮＵＳバスに設定された場合のチャンネルオーバービュー画面を示す図である。
【図１３】オーナーチャンネル解除時のＣＰＵ１８の動作を示すフローチャートである。
【図１４】指定されたオーナーチャンネルが１つである場合の警告表示の一例である。
【発明を実施するための形態】
【００１０】
図１は、ミキサ１の構成を示すブロック図である。ミキサ１は、表示器１１、操作部１２、オーディオＩ／Ｏ（Input/Output）１３、信号処理部１４、ＰＣＩ／Ｏ１５、ＭＩＤＩ＿Ｉ／Ｏ１６、その他（Ｏｔｈｅｒ）Ｉ／Ｏ１７、ＣＰＵ１８、フラッシュメモリ１９、およびＲＡＭ２０を備えている。
【００１１】
表示器１１、操作部１２、オーディオＩ／Ｏ１３、信号処理部１４、ＰＣＩ／Ｏ１５、ＭＩＤＩ＿Ｉ／Ｏ１６、その他（Ｏｔｈｅｒ）Ｉ／Ｏ１７、ＣＰＵ１８、フラッシュメモリ１９、およびＲＡＭ２０は、互いにバス２５を介して接続されている。また、オーディオＩ／Ｏ１３および信号処理部１４は、デジタルオーディオ信号を伝送するための波形バス２７にも接続されている。
【００１２】
オーディオＩ／Ｏ１３は、音信号を入力するためのインタフェースである。オーディオＩ／Ｏ１３には、音信号を入力するためのアナログ入力ポートまたはデジタル入力ポート等が設けられている。また、オーディオＩ／Ｏ１３は、信号処理部１４で処理された後の音信号を出力するためのインタフェースである。オーディオＩ／Ｏ１３には、音信号を出力するためのアナログ出力ポートまたはデジタル出力ポート等が設けられている。
【００１３】
ＰＣＩ／Ｏ１５、ＭＩＤＩ＿Ｉ／Ｏ１６、およびその他Ｉ／Ｏ１７は、それぞれ、種々の外部機器を接続し、入出力を行うためのインタフェースである。ＰＣＩ／Ｏ１５には、例えば外部のＰＣが接続される。ＭＩＤＩ＿Ｉ／Ｏ１６には、例えばフィジカルコントローラまたは電子楽器のようなＭＩＤＩ対応機器が接続される。その他Ｉ／Ｏ１７には、例えばディスプレイが接続される。あるいは、その他Ｉ／Ｏ１７には、マウスまたはキーボード等のＵＩ（User Interface）デバイスが接続される。外部機器との通信に用いる規格は、イーサネット（登録商標）、またはＵＳＢ（Universal Serial Bus）等、任意のものを採用することができる。接続態様は、有線でも無線でも構わない。
【００１４】
ＣＰＵ１８は、ミキサ１の動作を制御する制御部である。ＣＰＵ１８は、記憶媒体の１つであるフラッシュメモリ１９に記憶された所定のプログラムをＲＡＭ２０に読み出すことにより各種の動作を行なう。なお、プログラムは、フラッシュメモリ１９に記憶されていることは必須ではない。例えば、ＣＰＵ１８は、ネットワークを介してサーバからプログラムをダウンロードし、実行してもよい。
【００１５】
表示器１１は、ＣＰＵ１８の制御に従って種々の情報を表示する。表示器１１は、例えばＬＣＤまたは発光ダイオード（ＬＥＤ）等によって構成される。
【００１６】
操作部１２は、ユーザからミキサ１に対する操作を受け付ける受付部に対応する。操作部１２は、種々のキー、ボタン、ロータリーエンコーダ、またはスライダ等によって構成される。また、操作部１２は、表示器１１であるＬＣＤに積層したタッチパネルによって構成される場合もある。
【００１７】
信号処理部１４は、ミキシング処理またはエフェクト処理等の各種信号処理を行なうための複数のＤＳＰから構成される。信号処理部１４は、オーディオＩ／Ｏ１３から波形バス２７を介して供給される音信号に、ミキシング処理またはイコライジング等のエフェクト処理を施す。信号処理部１４は、信号処理後のデジタルオーディオ信号を、波形バス２７を介して再びオーディオＩ／Ｏ１３に出力する。
【００１８】
図２は、信号処理部１４、オーディオＩ／Ｏ１３、およびＣＰＵ１８で行われる信号処理の機能ブロック図である。図２に示すように、信号処理は、機能的に、入力パッチ３０１、入力チャンネル３０２、バス３０３、出力チャンネル３０４、および出力パッチ３０５によって行なわれる。
【００１９】
入力パッチ３０１は、オーディオＩ／Ｏ１３における複数の入力ポート（例えばアナログ入力ポートまたはデジタル入力ポート）からオーディオ信号を入力して、複数のポートのうちいずれか１つのポートを、複数チャンネル（例えば３２ｃｈ）の少なくとも１つのチャンネルに割り当てる。これにより、オーディオ信号が入力チャンネル３０２の各チャンネルに供給される。
【００２０】
入力チャンネル３０２の各チャンネルは、イコライザまたはコンプレッサ等の各種の信号処理を施す。また、入力チャンネル３０２の各チャンネルは、信号処理後のオーディオ信号をレベル調整した後に、後段のバス３０３に送出する。
【００２１】
バス３０３は、入力チャンネル３０２の各チャンネルから音信号を入力する。バスには、マスタ出力となるバス（例えばステレオバス）、またはモニタ用のＭＩＸバス等がある。ユーザは、操作部１２を操作して、入力チャンネル３０２の各チャンネルと、各バストの対応付けを設定する。
【００２２】
出力チャンネル３０４は、バス３０３に対応した数のチャンネル数（例えば８チャンネル）を有する。出力チャンネル３０４における各チャンネルでは、入力チャンネルと同様に、入力されるオーディオ信号に対して、各種信号処理を施す。出力チャンネル３０４の各チャンネルは、信号処理後のオーディオ信号を出力パッチ３０５へ送出する。出力パッチ３０５は、各チャンネルを、アナログ出力ポートまたはデジタル出力ポートにおける複数のポートのうちいずれか１つのポートに割り当てる。これにより、信号処理を施された後のオーディオ信号が、オーディオＩ／Ｏ１３に供給される。
【００２３】
図３は、ミキサ１の操作パネルの主要構成を示す図である。ミキサ１の操作パネル上には、図３に示すように、表示器１１およびチャンネルストリップ６３が設けられている。チャンネルストリップは、操作部１２の一例である。なお、表示器１１は、タッチパネルを内蔵し、操作部１２の一部を構成する。すなわち、表示器１１は、ユーザの操作を受け付けるためのＧＵＩ（グラフィカルユーザインタフェース）画面を表示する。
【００２４】
チャンネルストリップ６３は、１つのチャンネルに対する操作を受け付ける複数の操作子を縦に並べて配置した領域である。図３では、操作子として、チャンネル毎に１つフェーダと１つのノブだけが表示されているが、実際には多数のノブまたはスイッチ等が設けられている。チャンネルストリップ６３のうち、左側に配置された複数（例えば１６）のフェーダおよびノブは、入力チャンネルに相当する。チャンネルストリップ６３のうち、右側に配置された２つのフェーダおよびノブは、マスタ出力（２チャンネルのバス）に対応する操作子である。本実施形態のミキサ１は、表示器１１に複数チャンネルの各チャンネルとバスとの対応関係を示す画面を表示し、ユーザの操作を受け付ける。特に、本実施形態のミキサ１は、複数チャンネルの各チャンネルとバスとの対応付けに係る設定を受け付ける。
【００２５】
図４は、チャンネルオーバービュー画面の一例を示す図であり、図５は、バスの設定画面の一例を示す図である。図４に示す様に、チャンネルオーバービュー画面は、チャンネル毎にＭＩＸバスへのＳＥＮＤレベルを表示する。なお、チャンネルオーバービュー画面は、実際には各チャンネルの信号処理の内容等の様々な設定を表示するものであるが、この例では、説明のためにＭＩＸバスへのＳＥＮＤレベルだけを示す。また、この例では、説明のために１〜５の５つのチャンネルだけを表示器１１に表示する例を示しているが、チャンネルオーバービュー画面は、実際にはチャンネルストリップ６３の各チャンネルに対応して表示器１１に表示される。
【００２６】
チャンネルオーバービュー画面において、ユーザがバスセットアップボタン１０１をタッチすると、ＣＰＵ１８は、図５に示すバスの設定画面を表示器１１に表示する。
【００２７】
バスの設定画面では、複数（この例では８つ）のＭＩＸバスのそれぞれについて、バスの設定を受け付ける。例えば、各ＭＩＸバスは、モノラルバスまたはステレオバスのいずれかに設定することができる。ステレオバスに設定された場合には、２つのＭＩＸバス（例えばＭＩＸ７とＭＩＸ８）は、関連付けられる。また、各ＭＩＸバスは、ＶＡＲＩ（Ｖａｒｉａｂｌｅ）、ＦＩＸＥＤ、またはＭＩＸ  ＭＩＮＵＳのいずれかのタイプに設定することができる。ＶＡＲＩタイプは、ＳＥＮＤレベルが可変のバスである。ＦＩＸＥＤは、ＳＥＮＤレベルが固定のバスである。ＭＩＸ  ＭＩＮＵＳは、ユーザから指定されたチャンネル以外のチャンネルの信号を送出するバスである。ＭＩＸ  ＭＩＮＵＳタイプのバスは、例えば、中継先のアナウンサーがＭＩＸバスの音声（例えば放送用の音声）をモニタしながら発話する場合に、自分の声が遅れて聞こえることを防止するために用いられる。ユーザは、チャンネル１が中継先のアナウンサーのマイクに対応する場合に、当該チャンネル１をＭＩＸ  ＭＩＮＵＳタイプのバスに対応付ける指示を行なう。この場合、チャンネル１が、ＭＩＸ  ＭＩＮＵＳバスのオーナーチャンネルに設定される。ＭＩＸ  ＭＩＮＵＳタイプのバスは、オーナーチャンネル以外のチャンネルの音声をミキシングして出力する。
【００２８】
この例では、ＭＩＸ１およびＭＩＸ２がＭＩＸ  ＭＩＮＵＳタイプのバスに設定されている。また、ＭＩＸ３およびＭＩＸ４はＦＩＸＥＤタイプのバスに設定されている。ＭＩＸ５、ＭＩＸ６、ＭＩＸ７、およびＭＩＸ８は、ＶＡＲＩタイプのバスに設定されている。
【００２９】
図６（Ａ）は、ＭＩＸ  ＭＩＮＵＳタイプのバスが設定された場合のチャンネルオーバービュー画面を示す図であり、図７は、ＣＰＵ１８の動作を示すフローチャートである。ＣＰＵ１８は、チャンネルオーバービュー画面を表示する場合に、図７に示す動作を行なう。
【００３０】
まず、ＣＰＵ１８は、各バスのバスタイプを判断する（Ｓ１１）。そして、ＣＰＵ１８は、バスタイプに応じて表示態様を変更する（Ｓ１２）。
【００３１】
例えば、図５に示した例では、ＭＩＸ１およびＭＩＸ２は、ＭＩＸ  ＭＩＮＵＳタイプのバスに設定されている。また、ＭＩＸ３およびＭＩＸ４は、ＦＩＸＥＤタイプのバスに設定されている。ＭＩＸ５、ＭＩＸ６、ＭＩＸ７、およびＭＩＸ８は、ＶＡＲＩタイプのバスに設定されている。ＭＩＸ  ＭＩＮＵＳタイプのバスも、ＦＩＸＥＤタイプのバスも、ＳＥＮＤレベルは固定される。一方で、ＶＡＲＩタイプのバスは、ＳＥＮＤレベルが可変のバスである。したがって、ＣＰＵ１８は、図６（Ａ）に示す様に、ＭＩＸ  ＭＩＮＵＳタイプのバスおよびＦＩＸＥＤタイプのバスは、長方形状のスイッチ画像として表示する。一方で、ＣＰＵ１８は、ＶＡＲＩタイプのバスをノブ画像として表示する。ＶＡＲＩタイプのバスは、ノブ画像として表示されるため、ユーザは、現在のＳＥＮＤレベルを容易に判断することができる。一方で、ＭＩＸ  ＭＩＮＵＳタイプのバスおよびＦＩＸＥＤタイプのバスは、長方形状のスイッチ画像として表示されるため、ユーザは、これらのバスのＳＥＮＤレベルが固定されるタイプであることを容易に判断することができる。また、ユーザは、スイッチ画像をタッチすることで、当該バスに対して指定したチャンネルを出力させるか否かを指定することもできる。
【００３２】
さらに、ＣＰＵ１８は、図６（Ａ）に示す様に、ＭＩＸ１およびＭＩＸ２の背景色をグレーアウトして表示させる。これにより、ユーザは、ＳＥＮＤレベルが固定されるバスである、ＭＩＸ  ＭＩＮＵＳタイプのバスおよびＦＩＸＥＤタイプのバスの違いを容易に判断することができる。
【００３３】
以上の様にして、ユーザは、チャンネルオーバービュー画面において、各ＭＩＸバスのバスタイプを容易に判断することができる。
【００３４】
さらに、ＣＰＵ１８は、ＭＩＸ  ＭＩＮＵＳタイプのバスが設定されていて、オーナーチャンネルの設定が有るか否かを判断する（Ｓ１３）。ＣＰＵ１８は、ＭＩＸ  ＭＩＮＵＳタイプのバスが設定されていて、オーナーチャンネルの設定が無いと判断した場合（Ｓ１３がＮｏである場合）、各チャンネルのＭＩＸ  ＭＩＮＵＳバスのスイッチ画像を暗く表示する（Ｓ１４）。これにより、ＣＰＵ１８は、ユーザに対して、スイッチ画像への操作を受け付けないように見せる。なお、スイッチ画像は、グレーアウトする等、その他の態様で目立たない表示としてもよい。
【００３５】
その後、ＣＰＵ１８は、特定の操作として、例えばＳＨＩＦＴキーの操作がなされたか否かを判断する（Ｓ１５）。ＣＰＵ１８は、ＳＨＩＦＴキーが操作されていないと判断した場合（Ｓ１５がＹｅｓである場合）、さらに、スイッチ画像がタッチされて、選択されたか否かを判断する（Ｓ１６）。ＣＰＵ１８は、スイッチ画像がタッチされるまでＳ１５から判断を繰り返す。ＣＰＵ１８は、タッチ操作がなされた場合、警告表示を行なう（Ｓ１７）。ＣＰＵ１８は、例えば、図６（Ａ）に示す様に、「Press and hold SHIFT key to specify owner channel.」と表示することで、現在、オーナーチャンネルが指定されていない状態であり、ユーザに対してオーナーチャンネルの指定を促す表示を行なう。
【００３６】
上述の様に、ＭＩＸ  ＭＩＮＵＳバスは、指定されたオーナーチャンネル以外のチャンネルをミキシングして出力するものである。ＭＩＸ  ＭＩＮＵＳバスは、オーナーチャンネルが指定されていない場合には、どのチャンネルを出力すべきであるか決まっていない状態である。したがって、ＣＰＵ１８は、ＭＩＸ  ＭＩＮＵＳバスが設定されていても、オーナーチャンネルが指定されていない場合には、当該ＭＩＸ  ＭＩＮＵＳバスから信号を出力しないように設定する。この場合、ＣＰＵ１８は、各チャンネルのＭＩＸ  ＭＩＮＵＳバスのスイッチ画像に対するタッチ操作を受け付けても、信号を出力しない。したがって、ＣＰＵ１８は、図６（Ｂ）に示す様に、各チャンネルのＭＩＸ  ＭＩＮＵＳバスのスイッチ画像を表示しないようにしてもよい。あるいは、ＣＰＵ１８は、各チャンネルのＭＩＸ  ＭＩＮＵＳバスのスイッチ画像をグレーアウトする等して目立たない表示にしてもよい。
【００３７】
ＣＰＵ１８は、ＳＨＩＦＴキーが操作されたと判断した場合（Ｓ１５がＹｅｓである場合）、オーナー選択画面を表示する（Ｓ１８）。図８（Ａ）は、オーナー選択画面の一例を示す図である。ＣＰＵ１８は、オーナー選択画面では、ＭＩＸ  ＭＩＮＵＳバスに設定されたバスの表示をチャンネル番号ではなく、例えば「Ｎ−１」としてマイナス対象であるオーナーの選択を受け付ける状態である旨を表示する。
【００３８】
ここで、ＣＰＵ１８は、ユーザからオーナー選択が有ったか否かを判断する（Ｓ１９）。ユーザがオーナーチャンネルの指定を行なうと（Ｓ１９がＹｅｓの場合）、ＣＰＵ１８は、指定されたチャンネルとＭＩＸ  ＭＩＮＵＳバスとを対応付ける（Ｓ２０）。また、ＣＰＵ１８は、オーナーチャンネルに指定されたチャンネルの表示を変更する（Ｓ２０）。ＣＰＵ１８は、例えば、図８（Ｂ）に示す様に、チャンネル１がＭＩＸ  ＭＩＮＵＳバスであるＭＩＸ１のオーナーチャンネルに指定された場合に、当該チャンネル１のうちＭＩＸ１のスイッチ画像の色を変更する。なお、オーナーチャンネルとＭＩＸ  ＭＩＮＵＳバスとの対応付けを示す情報は、フラッシュメモリ１９またはＲＡＭ２０に記憶される。なお、上述のプログラムと同様に、オーナーチャンネルとＭＩＸ  ＭＩＮＵＳバスとの対応付けを示す情報も、フラッシュメモリ１９またはＲＡＭ２０に記憶される必要はない。例えば、ＣＰＵ１８は、ネットワークを介してサーバに該情報を送信し、サーバに記憶させてもよい。
【００３９】
なお、Ｓ１３の判断において、ＣＰＵ１８は、ＭＩＸ  ＭＩＮＵＳタイプのバスが設定されていて、オーナーチャンネルの設定があると判断した場合に（Ｓ１３がＹｅｓである場合）、ＭＩＸ  ＭＩＮＵＳボタンを表示する（Ｓ２１）。そして、ＣＰＵ１８は、ＳＨＩＦＴキーが押下されたか否かを判断し（Ｓ２２）、ＳＨＩＦＴキーが押下されてない場合には（Ｓ２２がＮｏの場合には）、オーナーチャンネルに指定されたチャンネルの表示を変更する（Ｓ２０）。ＣＰＵ１８は、ＳＨＩＦＴキーが操作されたと判断した場合（Ｓ２２がＹｅｓである場合）、オーナー選択画面を表示する（Ｓ１８）。
【００４０】
ＣＰＵ１８は、Ｓ２０の処理の後、設定終了を受け付けたか否かを判断する（Ｓ２３）。ＣＰＵ１８は、例えばＳＨＩＦＴキーの押下が解除された場合に、設定終了を受け付ける。ＣＰＵ１８は、ＳＨＩＦＴキーが引き続き押下されていると判断した場合（Ｓ２３がＮｏである場合）、Ｓ１７の判断から処理を繰り返す。ＣＰＵ１８は、ＳＨＩＦＴキーの押下が解除された場合（Ｓ２３がＹｅｓである場合）、チャンネルオーバービュー画面に戻る（Ｓ２４）。本実施形態の構成では、チャンネルオーバービュー画面上でＳＨＩＦＴキーを押した場合に、該チャンネルオーバービュー画面上においてＭＩＸ  ＭＩＮＵＳバスのオーナーチャンネルの設定を行なうことができる。つまり、本実施形態の構成では、チャンネルとバスとの関係が分かりやすいチャンネルオーバービュー画面上において、ＭＩＸ  ＭＩＮＵＳバスの設定を行なうことができる。
【００４１】
この様にして、図９（Ａ）に示す様に、チャンネルオーバービュー画面において、オーナーチャンネルに指定されたチャンネル１のＭＩＸ１のスイッチ画像の色が変化して表示される。なお、ＭＩＸ  ＭＩＮＵＳバスがステレオバスに指定されている場合には、図９（Ｂ）に示す様に、ＭＩＸ１またはＭＩＸ２のいずれか一方が指定された場合に、他方のバスも連動して指定されたオーナーチャンネルに対応付けされる。
【００４２】
なお、ユーザが、チャンネルオーバービュー画面において、ＳＨＩＦＴキーを押下せずに各チャンネルのＭＩＸ  ＭＩＮＵＳバスを指定した場合には、指定されたチャンネルがＭＩＸ  ＭＩＮＵＳバスから除外され、当該チャンネルの信号が出力されない状態となる。例えば、図１０に示す様に、ユーザがチャンネル３のＭＩＸ１バスのスイッチ画像をタッチして除外に指定すると、ＣＰＵ１８は、ＭＩＸ１バスにはチャンネル３の信号を出力しない状態にする。ただし、この場合、オーナーチャンネルとは異なり、ユーザが再びチャンネル３のＭＩＸ１バスのスイッチ画像をタッチすると、ＣＰＵ１８は、ＭＩＸ１バスにはチャンネル３の信号を出力する状態に戻す。また、ＣＰＵ１８は、ＭＩＸ１バスに信号を出力する状態であっても、当該ＭＩＸ１バスから外部に信号を出力しない状態（ミュート状態）の設定をユーザから受け付けてもよい。この場合も、当該チャンネルの信号が出力されない状態となる。
【００４３】
なお、ＣＰＵ１８は、ＭＩＸ  ＭＩＮＵＳタイプのバスが設定されていて、オーナーチャンネルの設定が無いと判断した場合に（Ｓ１３がＮｏである場合）、すぐに警告表示を行なってもよい。
【００４４】
なお、ＭＩＸ  ＭＩＮＵＳのオーナーチャンネルは、１つに限るものではない。ＣＰＵ１８は、例えば、図１１に示す様に、さらにチャンネル２がＭＩＸ１のオーナーチャンネルに指定された場合には、チャンネル１およびチャンネル２がＭＩＸ１と対応付け、チャンネル１のＭＩＸ１のスイッチ画像およびチャンネル２のＭＩＸ２のスイッチ画像の色を変更する。この状態では、ＭＩＸ１には、チャンネル１およびチャンネル２以外のチャンネルの信号が出力される。
【００４５】
また、ＭＩＸ  ＭＩＮＵＳに設定されるバスの数も１つに限るものではない。例えば、ＣＰＵ１８は、図１２に示す様に、さらにＭＩＸ３およびＭＩＸ４バスをＭＩＸ  ＭＩＮＵＳバスに設定することも可能である。図１２の例では、チャンネル３がＭＩＸ３のオーナーチャンネルに指定されているため、ＣＰＵ１８は、チャンネル３とＭＩＸ３と対応付け、チャンネル３のＭＩＸ３のスイッチ画像の色を変更する。この状態では、ＭＩＸ３には、チャンネル３以外のチャンネルの信号が出力される。
【００４６】
次に、図１３は、オーナーチャンネル解除時のＣＰＵ１８の動作を示すフローチャートである。ＣＰＵ１８は、オーナー選択画面において、既にオーナーチャンネルに指定されたチャンネルにおいてＭＩＸ  ＭＩＮＵＳのスイッチ画像がタッチされ、オーナーチャンネルからの除外指定がなされた場合、図１３に示す動作を行なう。
【００４７】
まず、ＣＰＵ１８は、現在のオーナーチャンネルの数が１つであるか否かを判断する（Ｓ３１）。上述の様に、ＭＩＸ  ＭＩＮＵＳバスは、オーナーチャンネルが指定されていない場合には、信号を出力しない状態となる。つまり、現在のオーナーチャンネルが１つである状態で当該オーナーチャンネルが除外されると、信号が出力されない状態に変化する。したがって、ＣＰＵ１８は、指定されたオーナーチャンネルが１つである場合に（Ｓ３１がＹｅｓである場合に）、警告表示を行なう（Ｓ３２）。例えば、ＣＰＵ１８は、図１４に示す様に、「MIX MINUS bus is going to be destructed.」と表示し、ユーザに確認を促す。ここで、ユーザがＯＫアイコン画像を選択した場合（Ｓ３３がＹｅｓの場合）、ＣＰＵ１８は、除外指定されたチャンネルをオーナーチャンネルから除外する（Ｓ３４）。また、Ｓ３１の判断において指定されたオーナーチャンネルが２つ以上である場合も（Ｓ３１がＮｏである場合も）、ＣＰＵ１８は、除外指定されたチャンネルをオーナーチャンネルから除外する（Ｓ３４）。なお、ＣＰＵ１８は、ユーザがＣＡＮＣＥＬ画像を選択した場合には、除外指定されたチャンネルをオーナーチャンネルから除外せずに、オーナーチャンネルの指定された状態を維持する。
【００４８】
その後、ＣＰＵ１８は、ＳＨＩＦＴキーの押下が解除されて設定終了と判断した場合に、（Ｓ３５がＹｅｓである場合に）、チャンネルオーバービュー画面に戻る（Ｓ３６）。
【００４９】
以上の様に、ＣＰＵ１８は、特定の操作（例えばＳＨＩＦＴキーの押下）を受け付け、かつオーナーチャンネルの指定を受け付けた場合に、指定されたオーナーチャンネルを特定のバスに対応付け、かつ対応付けたオーナーチャンネル以外のチャンネルの信号を特定のバスに出力させる設定を行なう。これにより、ミキサ１は、従来よりも簡易に、素早くミックスマイナス機能を設定することができる。なお、特定の操作は、ＳＨＩＦＴキーを押下する操作以外でもよい。例えば、ユーザが定義した特定のキーを押下する操作でもよい。
【符号の説明】
【００５０】
１…ミキサ
１１…表示器
１２…操作部
１４…信号処理部
１５…ＰＣＩ／Ｏ
１６…ＭＩＤＩ＿Ｉ／Ｏ
１７…その他（Ｏｔｈｅｒ）Ｉ／Ｏ
１８…ＣＰＵ
１９…フラッシュメモリ
２０…ＲＡＭ
２５…バス
２７…波形バス
６３…チャンネルストリップ
１０１…バスセットアップボタン
３０１…入力パッチ
３０２…入力チャンネル
３０３…バス
３０４…出力チャンネル
３０５…出力パッチ
【図１】
2019110362.tif 000003
【図２】
2019110362.tif 000004
【図３】
2019110362.tif 000005
【図４】
2019110362.tif 000006
【図５】
2019110362.tif 000007
【図６】
2019110362.tif 000008
【図７】
2019110362.tif 000009
【図８】
2019110362.tif 000010
【図９】
2019110362.tif 000011
【図１０】
2019110362.tif 000012
【図１１】
2019110362.tif 000013
【図１２】
2019110362.tif 000014
【図１３】
2019110362.tif 000015
【図１４】
2019110362.tif 000016